(57)【要約】【課題】発電量低下の原因がパワーコンディショナの劣化によるものなのか否かの特定が容易なパワーコンディショナを提供する。【解決手段】パワーコンディショナ２の制御部６が、パワーコンディショナ２の入力電力と出力電力とに基づいてパワーコンディショナ２の変換効率を演算するとともに、演算した変換効率の最大値を所定期間毎に記憶する。そして、記憶された最新の所定期間における変換効率の最大値とそれ以前の所定期間における変換効率の最大値とをメンテナンス用の表示部１２に比較可能に表示することで、パワーコンディショナの変換効率が低下しているか否かを迅速かつ的確に把握できるようにする。【選択図】図１
2015089145.tif 000002
【特許請求の範囲】
【請求項１】
パワーコンディショナへの入力電力を検出する入力電力検出手段と、
前記パワーコンディショナからの出力電力を検出する出力電力検出手段と、
前記入力電力検出手段で検出された入力電力と前記出力電力検出手段で検出された出力電力とに基づいてパワーコンディショナの変換効率を演算する効率演算手段と、
前記効率演算手段で演算された変換効率の最大値を所定期間毎に記憶する最大値記憶手段と、
前記最大値記憶手段に記憶された最新の所定期間における変換効率の最大値とそれ以前の所定期間における変換効率の最大値とを比較可能に報知する報知手段とを備えたことを特徴とするパワーコンディショナ。
【請求項２】
前記報知手段は、前記最新の所定期間における変換効率の最大値と前記それ以前の所定期間における変換効率の最大値とを表示する表示装置で構成されていることを特徴とする請求項１に記載のパワーコンディショナ。
【請求項３】
前記報知手段は、前記最大値記憶手段に記憶された前記変換効率の最大値を報知するときに、報知される変換効率の最大値に対応する所定期間の最大入力電力および入力電圧平均値を報知することを特徴とする請求項１に記載のパワーコンディショナ。
【請求項４】
前記最新の所定期間における変換効率の最大値と前記それ以前の所定期間における変換効率の最大値とを比較する効率比較手段と、
前記効率比較手段における比較の結果、前記最新の所定期間における変換効率の最大値が前記それ以前の所定期間における変換効率の最大値に対して所定割合以下となったときにはパワーコンディショナの変換効率が低下していると判定する異常判定手段とを備えていることを特徴とする請求項１から３のいずれかに記載のパワーコンディショナ。
【発明の詳細な説明】
【技術分野】
【０００１】
この発明はパワーコンディショナに関し、より詳細には、太陽光発電システムなどの発電システムにおいて、発電部から出力される直流電力を電力系統に連系可能な交流電力に変換するパワーコンディショナに関する。
【背景技術】
【０００２】
近年、再生可能エネルギの有効利用として住宅用の太陽光発電システムが注目されている。
【０００３】
太陽光発電システムは、周知のとおり、発電部として太陽電池パネル（太陽電池モジュール）を備えた発電システムであって、太陽電池パネルで発電された直流電力を電力変換装置であるパワーコンディショナで電力系統に連系可能な交流電力に変換して電力系統と連系させている。
【０００４】
ところで、このような太陽光発電システムに利用されるパワーコンディショナは劣化すると変換効率が低下するが、パワーコンディショナの動作自体に異常がなければ、パワーコンディショナは異常を報知することなく動作を継続する。
【０００５】
しかし、変換効率が低い状態でパワーコンディショナの動作を継続させることは、供給される発電量の低下を伴うことになり需要家にとっては好ましくない。
【０００６】
そのため、発電量の低下に関して、所定期間毎の最大発電量をパワーコンディショナに記憶させておき、それらの記憶値に基づいて太陽光発電システムの故障診断を行うことが提案されている（たとえば、特許文献１参照）。
【先行技術文献】
【特許文献】
【０００７】
【特許文献１】特開２０１２−１１４１０８号公報
【発明の概要】
【発明が解決しようとする課題】
【０００８】
しかしながら、発電量の低下は、太陽電池パネルの状況（たとえば、経年劣化の程度など）や、日射量、温度などにも影響を受けることから、発電量が低下したという現象からだけでは、パワーコンディショナに問題がある（つまり、パワーコンディショナが劣化や故障している）のか、それともその他の要因（たとえば、太陽電池パネルの経年劣化など）によるものなのかを判断することは困難である。
【０００９】
そのため、発電量の低下により修理依頼があっても修理作業員が発電量低下の原因を特定することが困難であった。
【００１０】
本発明は、このような従来の問題点に鑑みてなされたものであって、その目的とするところは、、発電量低下の原因がパワーコンディショナの劣化によるものなのか否かの特定が容易なパワーコンディショナを提供することにある。
【課題を解決するための手段】
【００１１】
上記目的を達成するため、本発明の請求項１に記載のパワーコンディショナは、パワーコンディショナへの入力電力を検出する入力電力検出手段と、上記パワーコンディショナからの出力電力を検出する出力電力検出手段と、上記入力電力検出手段で検出された入力電力と上記出力電力検出手段で検出された出力電力とに基づいてパワーコンディショナの変換効率を演算する効率演算手段と、上記効率演算手段で演算された変換効率の最大値を所定期間毎に記憶する最大値記憶手段と、上記最大値記憶手段に記憶された最新の所定期間における変換効率の最大値とそれ以前の所定期間における変換効率の最大値とを比較可能に報知する報知手段とを備えたことを特徴とする。
【００１２】
この請求項１に記載のパワーコンディショナでは、パワーコンディショナの変換効率の最大値が所定期間毎に記憶され、報知手段によって最新の所定期間における変換効率の最大値とそれ以前の所定期間における変換効率の最大値とが比較可能に報知されるので、パワーコンディショナの劣化・故障等によってパワーコンディショナの変換効率が低下しているか否かを迅速かつ的確に把握することができる。
【００１３】
請求項２に記載のパワーコンディショナは、請求項１に記載のパワーコンディショナにおいて、上記報知手段は、上記最新の所定期間における変換効率の最大値と上記それ以前の所定期間における変換効率の最大値とを表示する表示装置で構成されていることを特徴とする。
【００１４】
この請求項２に記載のパワーコンディショナでは、パワーコンディショナの変換効率に関して、最新の所定期間における変換効率の最大値とそれ以前の所定期間における変換効率の最大値とが表示装置に表示されるので、修理作業員等は表示される両者の変換効率を対比・確認することによって、パワーコンディショナの変換効率が低下しているか否かや低下の程度を迅速かつ的確に把握することができる。
【００１５】
なお、報知手段による報知は表示装置による表示に限られないが、表示装置を用いて表示を行う場合、最新の所定期間における変換効率の最大値とそれ以前の所定期間における変換効率の最大値は、両者を交互に表示したり、両者を同時に表示したり、あるいは、作業者の操作に応じて両者を選択的に表示したりすることができる。また、両者を比較した結果（たとえば、最新の所定期間における変換効率の最大値がそれ以前の所定期間における変換効率の最大値に比してどの程度の割合かなど）を表示するように構成することも可能である。
【００１６】
請求項３に記載のパワーコンディショナは、請求項１に記載のパワーコンディショナにおいて、上記報知手段は、上記最大値記憶手段に記憶された上記変換効率の最大値を報知するときに、報知される変換効率の最大値に対応する所定期間の最大入力電力および入力電圧平均値を報知することを特徴とする。
【００１７】
この請求項３に記載のパワーコンディショナでは、報知手段が最大値記憶手段に記憶された変換効率の最大値を報知するときに、変換効率の最大値とともに、変換効率の最大値に対応する所定期間における最大入力電力および入力電圧平均値を報知するので、パワーコンディショナの劣化・故障以外の要因で発電量が低下していた場合には、そのことを的確に把握することができる。
【００１８】
請求項４に記載のパワーコンディショナは、請求項１から３のいずれかに記載のパワーコンディショナにおいて、上記最新の所定期間における変換効率の最大値と上記それ以前の所定期間における変換効率の最大値とを比較する効率比較手段と、上記効率比較手段における比較の結果、上記最新の所定期間における変換効率の最大値が上記それ以前の所定期間における変換効率の最大値に対して所定割合以下となったときにはパワーコンディショナの変換効率が低下していると判定する異常判定手段とを備えていることを特徴とする。
【００１９】
この請求項４に記載のパワーコンディショナでは、最新の所定期間における変換効率の最大値とそれ以前の所定期間における変換効率の最大値とを比較する効率比較手段での比較の結果に基づいて、異常判定手段がパワーコンディショナの変換効率の低下による異常の有無を判定するので、修理作業者はこの判定結果に基づいてパワーコンディショナの異常の有無を容易に把握することができる。
【発明の効果】
【００２０】
本発明に係るパワーコンディショナによれば、パワーコンディショナの変換効率の最大値が所定期間毎に記憶され、最新の所定期間における変換効率の最大値とそれ以前の所定期間における変換効率の最大値とが比較可能に報知されるので、パワーコンディショナの劣化・故障等によってパワーコンディショナの変換効率が低下している場合には、その低下を迅速かつ的確に把握することができる。そのため、本発明によれば、発電量の低下の原因が、主としてパワーコンディショナの劣化・故障にあるか否かの判断を容易に行うことができる。
【図面の簡単な説明】
【００２１】
【図１】本発明に係るパワーコンディショナを用いた太陽光発電システムの概略構成を示す回路図である。
【図２】同パワーコンディショナにおいて変換効率の最大値のデータを生成する手順の一例を示すフローチャートである。
【図３】同パワーコンディショナにおいて最大入力電力および入力電圧平均値のデータを生成する手順の一例を示すフローチャートである。
【発明を実施するための形態】
【００２２】
以下、本発明の実施形態を図面に基づいて説明する。
実施形態１
図１は、本発明に係るパワーコンディショナを用いた発電システム（太陽光発電システム）の概略構成を示している。この図１に示す太陽光発電システムは、太陽電池パネル１と、パワーコンディショナ２と、電力系統３とを主要部として構成されている。
【００２３】
太陽電池パネル１は、周知のとおり、光エネルギを直流電力に変換する太陽電池（太陽電池セル）を用いた発電装置（発電部）である。この太陽電池パネル１は、日当たりのよい場所、たとえば、住宅の屋根上などに設置される。
【００２４】
パワーコンディショナ２は、太陽電池パネル１で発電された直流電力を商用電力系統などの電力系統３に連系可能な交流電力に変換するための電力変換装置（系統連系インバータ装置）であって、このパワーコンディショナ２は、コンバータ４と、インバータ５と、制御部６とを主要部として備えている。
【００２５】
コンバータ４は、太陽電池パネル１で発電された直流電力の電圧を昇圧するＤＣ／ＤＣコンバータ回路で構成されている。また、インバータ５は、コンバータ４で昇圧された直流電力を所定の交流電力（たとえば、単相三線式の交流１００／２００Ｖ）に変換するＤＣ／ＡＣインバータ回路で構成されている。そして、インバータ５から出力される交流電力が電力系統３と連系接続されている。
【００２６】
制御部６は、主として、コンバータ４およびインバータ５を制御する制御装置であって、その制御中枢として図示しないマイコンを備えている。このマイコンは、上記コンバータ４およびインバータ５を制御するための制御プログラムを備えている。そして、コンバータ４およびインバータ５の制御に関連して、制御部６は、太陽電池パネル１からの入力電圧を測定する入力電圧センサ７および入力電流を測定する入力電流センサ８と、パワーコンディショナ２からの出力電圧を測定する出力電圧センサ９および出力電流を測定する出力電流センサ１０とを備えており、入力電圧および入力電流に基づいて入力電力を、出力電圧および出力電流に基づいて出力電力をそれぞれ演算・検出するように構成されている。つまり、制御部６は、パワーコンディショナ２への入力電力を検出する入力電力検出手段と、パワーコンディショナ２からの出力電力を検出する出力電力検出手段として機能するようになっている。
【００２７】
また、制御部６は、コンバータ４およびインバータ５の制御のほかにも、たとえば、パワーコンディショナ２の動作状況などを監視し、かつ、その監視結果であるデータを記憶・保持する機能を備えており、後述するメンテナンス用の動作モードに遷移したときに、記憶・保持しているデータをメンテナンス用の表示部１２に表示できるようになっている。そのため、制御部６には、各種データを記憶するための図示しない記憶装置（たとえば、ＲＡＭや不揮発性のメモリなど）が備えられている。
【００２８】
なお、本実施形態に示すパワーコンディショナ２では、このデータの記憶・保持機能を利用して、制御部６が、上記入力電力および出力電力に基づいてパワーコンディショナ２の変換効率を演算するように構成されており、その演算結果に基づいて、制御部６は、変換効率の最大値を所定期間毎に記憶装置に記憶・保持するようになっている。すなわち、本実施形態に示すパワーコンディショナ２の制御部６は、パワーコンディショナ２の変換効率を演算する効率演算手段および変換効率の最大値を記憶する最大値記憶手段としても機能するようになっている（これらの詳細は後述する）。
【００２９】
１１は、修理作業員などがパワーコンディショナ２のメンテナンスを行う際に使用するメンテナンス用の操作部、また、１２は、同じくメンテナンス用の表示部を示している。
【００３０】
メンテナンス用の操作部１１は、需要家が操作する操作部（図示せず）とは異なり、主に修理作業員などが使用する操作部であって、この操作部１１の操作によってパワーコンディショナ２の制御部６を通常の動作モードからメンテナンス用の動作モードに遷移させたり、メンテナンス用の表示部１２に表示される項目を選択したりするなど、パワーコンディショナ２のメンテナンスに関する各種操作ができるようになっている。なお、この操作部１１は、たとえば、パワーコンディショナ２の正面の化粧パネル（図示せず）の内側など、需要家が操作しない位置に配置されている。
【００３１】
メンテナンス用の表示部（表示装置）１２は、メンテナンス用の操作部１１と同様に、主に修理作業員が使用する表示部であって、この表示部１２としては、たとえば、数桁（たとえば、６桁）の７セグメント表示器などが使用される。そして、この表示部１２に表示される数桁の数字や記号を用いて、パワーコンディショナ２の状態や制御部７に記憶されたデータなど、メンテナンスに必要な情報が表示されるようになっている。なお、この表示部１２もメンテナンス用の操作部１１と同様に、パワーコンディショナ２の化粧パネルの内側に配置されるが、化粧パネルに透明な窓を設けるなどして化粧パネルの外側から視認できるように構成されていてもよい。
【００３２】
次に、パワーコンディショナ２の制御部６における変換効率の最大値に関するデータの生成とその利用について説明する。
【００３３】
本実施形態に示すパワーコンディショナ２では、上述したように、制御部６が入力電力および出力電力に基づいてパワーコンディショナ２の変換効率を演算するように構成されており、この変換効率の演算に関して、制御部６は、以下のような処理を行っている。以下に説明する処理にあたり、制御部６は、演算した結果を適宜制御部６の記憶装置に記憶させながら処理を行っている。図２は、制御部６において変換効率の最大値のデータを生成する手順を示している。
【００３４】
（ａ）制御部６は、第１所定時間Ｔ１（本実施形態では１００ｍ秒）毎に変換効率を演算し、その演算結果を積算する（図２ステップＳ２、Ｓ３参照）。すなわち、制御部６は、この処理において、以下の数式（１）の演算を行う。
Σ変換効率［％］＝Σ（出力電力［Ｗ］÷入力電力［Ｗ］×１００）  ・・・（１）
【００３５】
ここで、太陽電池パネル１の発電量が少ないと、インバータ５が最小出力との関係で動作が不安定となり正確な変換効率を演算できなくなるので、この処理にあたっては、たとえば、入力電力の値に下限値を設定しておき、この下限値を下回った場合には、そのときの演算結果を使用しないか、あるいは、あらかじめ設定しておいた固定値で代替するなどの対応をとることが望ましい。なお、この数式（１）の処理を行う場合、制御部６は先に演算した結果をリセットして演算を開始する（図２ステップＳ１参照）。
【００３６】
（ｂ）そして、制御部６は、上記（ａ）の処理中に、あらかじめ設定された第２所定時間Ｔ２（本実施形態では１分）が経過すると、区間変換効率Ａを演算する（図ステップＳ４参照）。この区間変換効率Ａは、以下の数式（２）により求められる。
区間変換効率Ａ［％］＝Σ変換効率［％］÷積算回数  ・・・（２）
【００３７】
ここで、第２所定時間Ｔ２を１分としているのは、太陽電池パネル１の発電量が少ないと、インバータ５のＤＣリンクコンデンサ１３（図１参照）に蓄えられたエネルギ量が変動して変換効率が変動してしまうことから１分程度の区間で平均をとるようにしている。
【００３８】
（ｃ）そして、区間変換効率Ａが算出されると、制御部６は、演算した区間変換効率Ａと当日における区間最大変換効率（当日区間最大変換効率）Ｂとを比較して、演算した区間変換効率Ａが当日区間最大変換効率Ｂよりも大きければ、演算した区間変換効率Ａを当日区間最大変換効率Ｂとして記憶する（図２ステップＳ５、Ｓ６参照）。すなわち、制御部６は、以下の数式（３）が成立すると、演算した区間変換効率Ａを当日区間最大変換効率Ｂとする。
当日区間最大変換効率Ｂ［％］＜区間変換効率Ａ［％］  ・・・（３）
【００３９】
つまり、制御部６は、１分毎に当日区間最大変換効率Ｂを更新する。
【００４０】
（ｄ）そして、制御部６は、上記（ｃ）の処理中に、あらかじめ設定された第３所定時間Ｔ３（本実施形態では１日：２４時間）が経過すると、当日区間最大変換効率Ｂと当月における区間最大変換効率（当月区間最大変換効率）Ｃとを比較して、当日区間最大変換効率Ｂが当月区間最大変換効率Ｃよりも大きければ、当日区間最大変換効率Ｂを当月区間最大変換効率Ｃとして記憶する（図２ステップＳ７〜Ｓ９参照）。すなわち、制御部６は、以下の数式（４）が成立すると、当日区間最大変換効率Ｂを当月区間最大変換効率Ｃとする。
当月区間最大変換効率Ｃ［％］＜当日区間最大変換効率Ｂ［％］  ・・・（４）
【００４１】
つまり、制御部６は、１日毎に当月区間最大変換効率Ｃを更新する。そして、この比較後、制御部６は、当日区間最大変換効率Ｂを初期化（リセット）する（図２ステップＳ１０参照）。
【００４２】
（ｅ）そして、制御部６は、あらかじめ設定された所定期間Ｔ（本実施形態では３０日）が経過すると、その時点で、当月区間最大変換効率Ｃを先月区間最大変換効率Ｄに置き換えて、当月区間最大変換効率Ｃを初期化する（図２ステップＳ１１〜Ｓ１３）。
【００４３】
ここで、所定期間Ｔを３０日としているのは、１か月毎の区間最大変換効率のデータを生成するために１か月を３０日で計算したためである。このように１か月を３０日として扱ったのは、後述するように、先月区間最大変換効率Ｄは、現在の変換効率との比較用のデータとして用いるものであるため、必ずしも暦どおりの１か月とする必要がないからである。
【００４４】
なお、１か月毎の最大変換効率のデータを作成するにあたり、本実施形態では、制御部６は１日経過毎に日数のカウンタを加算し、そのカウント値が３０になった時点で月替わりとして図２ステップＳ１２の処理を行うように構成している。
【００４５】
しかして、このように生成された先月区間最大変換効率Ｄおよび現在の変換効率（たとえば、当月区間最大変換効率Ｃ）のデータは、修理作業員がメンテナンス用の操作部１１を操作することで、メンテナンス用の表示部１２に比較可能に表示される。
【００４６】
すなわち、たとえば、操作部１１の所定操作によって、先月区間最大変換効率Ｄと当月区間最大変換効率Ｃとを交互に表示したり、両者を並べて同時に表示したり、あるいは、作業者の操作に応じて両者を選択的に表示したりするなどして、修理作業者が両者を比較できるように表示される。
【００４７】
このように、本実施形態に示すパワーコンディショナ２によれば、パワーコンディショナ２の変換効率の最大値が所定期間Ｔ毎に記憶され、表示部１２によって最新の所定期間における変換効率の最大値とそれ以前の所定期間における変換効率の最大値とが比較可能に表示されるので、発電量が低下した場合、修理作業員は、表示部１２の表示を確認することで、発電量の低下がパワーコンディショナ２の劣化・故障等によるものか否かを迅速かつ的確に把握することができる。
【００４８】
すなわち、修理作業員は、表示部１２に表示される当月区間最大変換効率Ｃと先月区間最大変換効率Ｄとを比較して、当月区間最大変換効率Ｃが先月区間最大変換効率Ｄよりも異常とみなせるほど低下している（たとえば、先月区間最大変換効率Ｄの８０％以下となっている）場合には、発電量の低下は、パワーコンディショナ２の異常・故障によるものであると判断することができる。
【００４９】
なお、この表示に際し、パワーコンディショナ２が施工されてから所定期間Ｔが経過していない場合には、先月区間最大変換効率Ｄのデータは生成されていないので、その場合は、当月区間最大変換効率Ｃと当日区間最大変換効率Ｂを比較可能表示するなどの代替処理が行われるようにしておくのが望ましい。
【００５０】
また、本実施形態では、当月区間最大変換効率Ｃと先月区間最大変換効率Ｄの双方を表示部１２に表示する場合を示したが、たとえば、制御部６に両者を比較する機能（効率比較手段）を備えさせておき、両者を比較した結果（たとえば、当月区間最大変換効率Ｃの先月区間最大変換効率Ｄに対する割合や両者の差）を表示するように構成することも可能である。この場合、修理作業員はこの比較結果に基づいてパワーコンディショナの異常の有無を容易に把握することができる。
【００５１】
そして、このように制御部６が当月区間最大変換効率Ｃと先月区間最大変換効率Ｄとを比較する場合、その結果に基づいて、制御部６がパワーコンディショナ２の異常・故障を判定する機能（異常判定手段）を備えさせておき、当月区間最大変換効率Ｃの先月区間最大変換効率Ｄに対する割合が所定割合（たとえば、８０％）以下となったときには、制御部６が、パワーコンディショナ２は異常に変換効率が低下していると判定して、その旨を表示部１２などを通じて報知するように構成することもできる。
【００５２】
実施形態２
次に、本発明に係るパワーコンディショナ２の第２の実施形態について、図３に基づいて説明する。
【００５３】
この第２の実施形態に示すパワーコンディショナ２は、制御部６による変換効率の監視・記憶に加えて、制御部６が太陽電池パネル１からの入力電力および入力電圧を監視・記憶して表示部１２に表示するように構成している。なお、その他の点は、上述した実施形態１と共通するので、構成が共通する部分には同一の符号を付して説明を省略する。
【００５４】
この実施形態に示すパワーコンディショナ２では、制御部６は、上述した実施形態１に示した変換効率の最大値に関するデータの生成に加えて、以下の手順により、最大入力電力および入力電圧平均値を監視・記憶するように構成されている。図３はその手順を示している。
【００５５】
すなわち、制御部６は、所定時間Ｔ４（本実施形態では１秒）毎に太陽電池パネル１からの入力電力（太陽電池パネル１の発電量）と入力電圧を測定して（図３ステップＳ１参照）、所定時間Ｔ５（本実施形態では１分）毎にその平均値を算出する（図３ステップＳ２参照）。すなわち、１秒毎に入力電力および入力電圧を積算し、積算回数で除して平均値を演算する。
【００５６】
このようにして、入力電力および入力電圧の平均値が算出されると、制御部６は、算出された入力電力を当日の最大入力電力（当日最大電力）と比較して、算出された入力電力（つまり、太陽電池パネル１の発電量）が当日最大電力より大きければ、算出された入力電力を当日最大電力として記憶するとともに、同時に測定された入力電圧の平均値も併せて記憶する（図３ステップＳ３、Ｓ４参照）。すなわち、当日最大電力とその入力電圧の平均値は１分毎に更新される。
【００５７】
そして、所定時間Ｔ６（本実施形態では１日：２４時間）が経過すると、当日最大電力と当月における最大電力（当月最大電力）とを比較して、当日最大電力が当月最大電力よりも大きければ、当日最大電力を当月最大電力として記憶する（図３ステップＳ５〜Ｓ７参照）。その際、当日最大電力と併せて記憶していた入力電圧の平均値も同様に併せて記憶する。
【００５８】
そして、制御部６は、所定期間Ｔ７（本実施形態では３０日）が経過すると、その時点で、当月最大電力を先月最大電力として記憶する（図３ステップＳ９、Ｓ１０参照）。ここで、本実施形態では、月当たりの最大電力を１年分記憶するように構成しているため、先月最大電力は１２か月分を個々に記憶する。なお、本実施形態でも１か月は３０日で計算し、一日が経過した時点で日数のカウンタを加算して、そのカウント値が３０になった時点で月替わりとして処理する（図３ステップＳ９、Ｓ１１参照）。つまり、日数のカウント値を初期化する。そして、新たに月数のカウンタを加算する。
【００５９】
このようにして、１２か月分の最大電力とその際の入力電圧の平均値のデータが蓄積されると、制御部６は、これらを比較して、最大電力が最も大きい月を抽出し（図３ステップＳ１２参照）、その月の最大電力と入力電圧の平均値を、直近１年間における最大発電量月電力および同月電圧として記憶する（図３ステップＳ１３参照）。
【００６０】
なお、この図３ステップＳ１３の処理にあたり、パワーコンディショナ２が施工されてから１年以内であるときは、現在までに、最大電力が最も大きい月の最大電力と入力電圧の平均値を、設置１年間における最大発電量月電力および同月電圧として記憶する（図３ステップＳ１４、Ｓ１５）。
【００６１】
しかして、このように生成された最大発電量月電力（最大入力電力）および同月電圧（入力電圧平均値）のデータは、修理作業員がメンテナンス用の操作部１１を操作することで、メンテナンス用の表示部１２に表示可能とされる。したがって、発電量が低下した場合、修理作業員は、表示部１２に最大発電量月電力およびその月の入力電圧の平均値と、現在の入力電力および入力電圧とを表示させて、これらを比較することで、太陽電池パネル１に異常・故障があるか否かを迅速かつ的確に把握することができる。
【００６２】
特に、これらの表示と実施形態１で示した変換効率の最大値の表示とを組み合わせて表示させる（具体的には、表示する変換効率の最大値に対応する所定期間における最大入力電力および入力電圧平均値などを表示させる）ことで、修理作業員は、発電量の低下が、パワーコンディショナ２の異常・故障によるものか、それとも太陽電池パネル１の異常・故障によるものかを容易に把握することができるようになる。
【００６３】
なお、上述した実施形態は本発明の好適な実施態様を示すものであって、本発明はこれに限定されることなく発明の範囲内で種々の設計変更が可能である。
【００６４】
たとえば、上述した実施形態では、変換効率の最大値などを報知する報知手段としてメンテナンス用の表示部１２を用いた場合を示したが、これらの報知は、たとえば、需要家が発電量などを確認するために利用するモニタ装置に表示するように構成することも可能である。また、これらの報知は、表示に限らず、表示と併せて、または、表示に代えて音声メッセージなどを利用することも可能である。
【００６５】
また、上述した実施形態では、本発明を太陽光発電システムに用いた場合を示したが、本発明に係るパワーコンディショナは、太陽電池パネル１以外の発電部（たとえば、風力発電装置など）に適用することも可能である。
【００６６】
なお、上述した実施形態に示した所定時間および所定期間はあくまで本発明を説明するための例示であってこれらは勿論適宜変更可能である。
【符号の説明】
【００６７】
１              太陽電池パネル
２              パワーコンディショナ
３              電力系統
４              コンバータ
５              インバータ
６              制御部
７              入力電圧センサ
８              入力電流センサ
９              出力電圧センサ
１０            出力電流センサ
１１            メンテナンス用の操作部
１２            メンテナンス用の表示部（報知手段）
【図１】
2015089145.tif 000003
【図２】
2015089145.tif 000004
【図３】
2015089145.tif 000005